(57)【要約】【課題】  外壁の意匠性を損なうことなく、しかも面材の製作が容易でかつパネルフレームへの取り付けも容易な、外張断熱・通気工法が適用された壁構造を提供する。【解決手段】  面材１０と通気層２０と断熱層３０と取付具４０とを備えてなる壁構造Ｋで、面材１０は、裏面１０ａ両側部にアンカー１１をその長手方向の全長に渡って有し、取付具４０は、保持部材５０と係合部材６０とを有し、保持部材５０は、面材１０をその長手方向に沿って保持する面材保持面５１と、面材保持面５１の張出位置を設定する位置決め面５２と、断熱層３０を保持する断熱層保持面５３とを有する折り曲げ成形体とされ、係合部材６０は、パネルフレームＦとスライド可能に係合する係合部６２と、保持部材６０と接合される接合部６１とを有している。【選択図】  図１
2006249766.tif 000002
【特許請求の範囲】
【請求項１】
面材と通気層と断熱層と取付具とを備えてなる壁構造であって、
前記面材は、裏面両側部にアンカーをその長手方向の全長に渡って有し、
前記取付具は、保持部材と係合部材とを有し、
前記保持部材は、面材をその長手方向に沿って保持する面材保持面と、面材保持面の張出位置を設定する位置決め面と、断熱層を保持する断熱層保持面とを有する折り曲げ成形体とされ、
前記係合部材は、パネルフレームとスライド可能に係合する係合部と、前記保持部材と接合される接合部とを有してなる
ことを特徴とする壁構造。
【請求項２】
アンカー本体の端部が面材の側面に沿って折り曲げられてなることを特徴とする請求項１記載の壁構造。
【請求項３】
アンカーと面材保持面との間に止水性を有する断熱材が配設されてなることを特徴とする請求項１記載の壁構造。
【請求項４】
アンカーと保持部材とが一体化されてなることを特徴とする請求項１記載の壁構造。
【請求項５】
保持部材の面材保持面および位置決め面の裏面に充填断熱材が配設されてなることを特徴とする請求項１記載の壁構造。
【発明の詳細な説明】
【技術分野】
【０００１】
本発明は壁構造に関する。さらに詳しくは、外張断熱・通気工法が適用された壁構造に関する。
【背景技術】
【０００２】
従来より、外張断熱・通気工法が適用された壁構造においては、面材にいわゆるサイディングやＧＲＣ（ガラス繊維強化コンクリート）面材などが用いられている。
【０００３】
面材にサイディングを用いた場合、サイディングの金属性フレームへの取り付けは、表面側からのビス留めし、ついでタッチアップ処理することによりなされている。
【０００４】
しかしながら、取付を表面側からのビス留めにより行った場合、ビスの頭がサイディング表面に露出するため、外壁の意匠性を損なったり、サイディングにクラックが入ったりするおそれがあるという問題がある。
【０００５】
面材にＧＲＣ面材を用いた場合、ＧＲＣ面材裏面に取り付けられたいわゆるハット型アンカーを用いてパネルフレームにボルト・ナット留めによりなされている。
【０００６】
しかしながら、ハット型アンカーを用いた場合、そのＧＲＣ面材への取り付けに特別の治具が必要となり、ＧＲＣ面材の製作が煩雑で高コストになるという問題がある。また、その位置決め精度も低いという問題もある。
【発明の開示】
【発明が解決しようとする課題】
【０００７】
本発明はかかる従来技術の課題に鑑みなされたものであって、外壁の意匠性を損なうことなく、しかも製作が容易でかつパネルフレームへの取り付けも容易な、外張断熱・通気工法が適用された壁構造を提供することを目的としている。
【課題を解決するための手段】
【０００８】
本発明の壁構造は、面材と通気層と断熱層と取付具とを備えてなる壁構造であって、前記面材は、裏面両側部にアンカーをその長手方向の全長に渡って有し、前記取付具は、保持部材と係合部材とを有し、前記保持部材は、面材をその長手方向に沿って保持する面材保持面と、面材保持面の張出位置を設定する位置決め面と、断熱層を保持する断熱層保持面とを有する折り曲げ成形体とされ、前記係合部材は、パネルフレームとスライド可能に係合する係合部と、前記保持部材と接合される接合部とを有してなることを特徴とする。
【０００９】
本発明の壁構造においては、アンカー本体の端部が面材の側面に沿って折り曲げられてなるのが好ましい。
【００１０】
また、本発明の壁構造においては、アンカーと面材保持面との間に止水性を有する断熱材が配設されてなるのが好ましい。
【００１１】
さらに、本発明の壁構造においては、アンカーと保持部材とが一体化されてなるのが好ましい。
【００１２】
さらに、本発明の壁構造においては、保持部材の面材保持面および位置決め面の裏面に充填断熱材が配設されてなるのが好ましい。その場合、充填断熱材が、保持部材と一体化されてなるのがさらに好ましい。
【発明の効果】
【００１３】
本発明によれば、面材をパネルフレームと接合する取付具の面材への取付が容易となるという優れた効果が得られる。また、躯体の地震などによる振動の面材への悪影響を緩和できるという優れた効果が得られる。さらに、ビスなどが面材の表面に突出することはないので、壁の意匠性を損なうこともないという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
実施形態１
本発明の実施形態１に係る壁構造の柱への取付部を図１に断面図で示す。
【００１６】
壁構造Ｋは、図１に示すように、面材１０と、通気層２０と、断熱層と３０、取付具４０とを備えてなる、いわゆる外張断熱・通気工法が適用された壁構造とされる。
【００１７】
面材１０は例えばＧＲＣ面材１０Ａとされ、その裏面１０ａの両側部にはアンカー１１が帯状に面材１０の長手方向の全長にわたって設けられている。
【００１８】
アンカー１１は、図１に示すように、アンカー本体１１ａと、アンカー本体１１ａを面材１０に固定する帯状の固定片１１ｂとを備えてなるものとされる。
【００１９】
アンカー本体１１ａは、面材１０側面側の一端部が面材１０側面に沿って折り曲げられ、またその先端部がさらに適宜角度、例えば４５度で折り曲げられている。これにより、ＧＲＣ面材１０Ａの小口の端部への付着力が向上する。また、アンカー本体１１ａの端部が前記のごとく構成されている付随的な効果として、面材１０角部の補強がなされるとともにその曲げ強度も増大する。
【００２０】
固定片１１ｂは、アンカー本体１１ａの他端部を部分的に階段状に起立させて形成されてなるものとされる。ここで、固定片１１ｂの間隔は２００ｍ〜８００ｍｍ程度とされ、その起立方向はアンカー本体１１ａの長手方向と直交方向とされる。
【００２１】
断熱層３０は、例えば発泡ポリスチレンを例えば７５ｍｍの厚みに成形してなるものとされる。
【００２２】
取付具４０は、図１に示すように、面材１０と断熱層３０とを保持する保持部材５０と、保持部材５０をパネルフレームＦにスライド可能に係合する係合部材６０とを備えてなるものとされる。
【００２３】
保持部材５０は、例えば面材１０をその長手方向に沿って保持する面材保持面５１と、面材保持面５１の張出位置を設定して通気層２０を形成する位置決め面５２と、断熱層３０をその長手方向に沿って保持する断熱層保持面５３とが形成されるように鋼板を階段状に折り曲げ成形してなるものとされる。つまり、面材保持面５１と断熱層保持面５３とは平行とされ、位置決め面５２は両面５１，５３に垂直とされる。この階段状に折り曲げ成形された面材保持面５１および位置決め面５２の裏面側には、保温のために断熱材５４、例えば発泡ポリスチレンが充填されている。この断熱材（充填断熱材）５４は柱Ｃに掛け渡され、その柱Ｃとの接触面には適宜シール５５がなされてその箇所における止水が図られている。
【００２４】
面材保持面５１による面材１０の保持は、アンカー本体１１ａを面材保持面５１裏面からのビス留めすることによりなされる。この場合、アンカー１１と保持部材５０間の熱橋を防止しかつその間の止水をなす観点から、撥水性（止水性）を有する断熱材５８、例えば発泡ポリスチレンをその間に配設するのが好ましい。また、アンカー本体１１ａは面材１０の長手方向の全長にわたって設けられているところから、ビス留めは任意の位置になし得るので施工性がよい。
【００２５】
一方、断熱層保持面５３による断熱層３０の保持は、例えば接着剤により断熱層３０を断熱層保持面５３に接着することによりなされる。
【００２６】
係合部材６０は、図２に示すように、断熱層保持面５３の裏面に接合される接合部６１と、接合部６１の一端から３本指状に形成される係合部６２とを備えてなる板状部材とされる。板状部材の両側端は直角に折り曲げられてその曲げ剛性の向上が図られている。係合部材６０は接合部６１が断熱層保持面５３へ例えばビス留めされることにより保持部材５０に接合される。
【００２７】
係合部６２の中央に位置する係合片６３は、接合部６１を形成している板状部材に平行とされて端部の曲げ方向と同一方向に若干突出させられ、両側に位置する係合片６４は前記係合片と反対方向に若干突出させられている。係合部６２を構成している各係合片６３，６４が、かかる位置関係とされることにより、中央に位置する係合片６３と、両側に位置する係合片６４，６４との間にパネルフレームＦの係合部をスライド可能に把持して係合する隙間が形成される。
【００２８】
次に、かかる構成とされている壁構造Ｋの施工の一例について説明する。
【００２９】
手順１：保持部材５０の断熱層保持面５３に断熱層３０を載置・固定する。
【００３０】
手順２：保持部材５０の面材保持面５１に止水性を有する断熱材５８を配設する。
【００３１】
手順３：面材１０のアンカー１１に保持部材５０の面材保持面５１を当接させて面材１０を面材保持面５１にビス留めする。ここで、ビスの間隔は、例えば２００ｍｍ〜８００ｍｍ程度とされる。
【００３２】
手順４：保持部材５０の面材保持面５１および位置決め面５２の裏面に断熱材５４を充填する。例えば、裏面に断熱材５４を接着・固定する。これにより、通気層２０を有する壁面体が完成する。
【００３３】
手順５：柱Ｃの充填断熱材５４が架け渡される箇所に軟質合成ゴム系止水材を貼付したり、撥水性の接着剤を塗布したりしてシール５５をなす。
【００３４】
手順６：壁面体を吊り込んで壁面体をパネルフレームＦに仮固定する。
【００３５】
手順７：係合部材６０の係合部６２をパネルフレームＦの係合部に係合させた状態で接合部６１を断熱層保持面５３の裏面にビス留めにて接合する。ここで、係合部材６０の間隔は、例えば２００ｍｍ〜８００ｍｍ程度とされる。
【００３６】
手順８：壁面体間、つまり目地に乾式目地７０を配設して止水する。これにより、外壁が完成する。
【００３７】
このように、この実施形態１においては、面材１０にその長手方向の全長に渡ってアンカー１１を設け、しかも取付具の保持部材５０をこのアンカー１１に対応させた長さとしているので、面材１０と保持部材５０とのビス留めの際のビス留め位置の自由度が大きく施工性がよい。その結果、施工期間を短縮でき、壁構造Ｋの低コスト化が図られる。
【００３８】
また、壁面体の側端がパネルフレームＦとスライド可能に係合されているので、地震時などで躯体が振動しても、その振動による面材１０に対する悪影響が緩和される。例えば、面材１０の歪による損傷を防止できる。
【００３９】
実施形態２
本発明の実施形態２に係る壁構造Ｋ１の柱への取付部を図３に断面図で示す。
【００４０】
実施形態２は実施形態１を改変してなるものであって、面材１０のアンカー１１と保持部材５０とを一体化してなるものである。この一体化、例えばアンカー１１と保持部材５０とをスポット溶接により一体化してもよく、あるいは一枚物を折り曲げ成形等することによりなしてもよい。
【００４１】
また、この実施形態２においては、保持部材５０と充填断熱材５４とを一体化してもよい。
【００４２】
なお、実施形態２のその余の構成は実施形態１と同様とされているので、その詳細な説明は省略する。
【００４３】
このように、この実施形態２においては、アンカー１１と保持部材５０とを一体化しているので、施工時にアンカー１１と保持部材５０とを接合する必要がなく施工性が向上する。
【産業上の利用可能性】
【００４４】
本発明は、外張断熱・通気工法が適用された各種住宅に適用できる。
【図面の簡単な説明】
【００４５】
【図１】本発明の実施形態１の壁構造の一部を分離して示す要部断面図である。
【図２】係合部材の２面図である。
【図３】本発明の実施形態２の壁構造の要部断面図である。
【符号の説明】
【００４６】
１０      面材
１１      アンカー
２０      通気層
３０      断熱層
４０      取付具
５０      保持部材
５１      面材保持面
５２      位置決め面
５３      断熱層保持面
５４      充填断熱材
５５      シール
５８      断熱材
６０      係合部材
Ｋ      壁構造
Ｃ      柱
Ｆ      パネルフレーム
【図１】
2006249766.tif 000003
【図２】
2006249766.tif 000004
【図３】
2006249766.tif 000005